(57)【要約】      （修正有）【課題】ブリムとクラウンと日除け布を備えつつも、小さく折り畳むことができ、さらに首にかける手ぬぐいやタオルが動き難いように保持することができる日除け帽子を提供する。【解決手段】日除け帽子２は、トップクラウン、サイドクラウン、ブリム、及び後首や顔の両側を覆う日除け部を備えている。サイドクラウン、ブリム、及び日除け部は、それぞれが縫い合わされることなく連続した薄手の布ａ１、ａ２で一体形成される。薄手の布ａ１、ａ２に環状ゴム紐１５を通す紐穴が形成される。紐穴に環状ゴム紐１５を通すことでサイドクラウンとブリムの境界が形成される。日除け部に首にかけたタオルや手ぬぐい等を保持するためのタオル保持部３０ａ、３０ｂが設けられる。【選択図】図４
0003216905.tif 000002
【実用新案登録請求の範囲】
【請求項１】
トップクラウン、サイドクラウン、ブリム、及び後首や顔の両側を覆うことが可能な日除け部を備えた日除け帽子であって、
前記サイドクラウン、前記ブリム、及び前記日除け部は、それぞれが縫い合わされることなく連続した薄手の布で一体形成され、
前記薄手の布に環状ゴム紐を通す紐穴が形成され、
前記紐穴に前記環状ゴム紐を通すことで前記サイドクラウンと前記ブリムの境界が形成され、
前記日除け部に首にかけたタオルや手ぬぐい等を保持するためのタオル保持部が設けられる、日除け帽子。
【請求項２】
前記タオル保持部は、輪紐状部材で構成され、タオルや手ぬぐい等を該輪紐状部材の輪部分に通すことでタオルや手ぬぐい等が保持される、請求項１に記載の日除け帽子。
【考案の詳細な説明】
【技術分野】
【０００１】
本考案は日除け帽子に関する。
【背景技術】
【０００２】
従来、顔の両側や後首を太陽光線から守るいわゆる半麦の日除け帽子がある（例えば、特許文献１）。
また、帽子のつばに補強布を取り付ける技術がある（例えば、特許文献２）。
【先行技術文献】
【特許文献】
【０００３】
【特許文献１】実用新案登録第３２０２９３１号
【特許文献２】特開平９−７８３３０号公報
【考案の概要】
【考案が解決しようとする課題】
【０００４】
特許文献１に示す日除け帽子では、ブリムとクラウンと日除け布のそれぞれが縫い合わされる構成であるため、小さく折り畳むことができないという問題がある。
また、炎天下で作業する人は、紫外線対策として日除け帽子をかぶり、首や顔の汗をぬぐうために手ぬぐいやタオルを首にかけることが行われている。手ぬぐいやタオルを首にかけるだけでは、作業を行っている最中に手ぬぐいやタオルが移動してしまうという問題もある。しかし、特許文献２に示す技術では、帽子のつばの外側に補強布を取り付けることができるが、首に巻くタオルを帽子によって保持することはできない。
【０００５】
本考案の目的の一つは、ブリムとクラウンと日除け布を備えつつも、小さく折り畳むことができる日除け帽子を提供することである。
また、本考案の目的の一つは、首にかける手ぬぐいやタオルが動き難いように保持することができる日除け帽子を提供することである。
【課題を解決するための手段】
【０００６】
上記目的は、トップクラウン（９）、サイドクラウン（１０）、ブリム（１１）、及び後首や顔の両側を覆う日除け部（１２）を備えた日除け帽子であって、
前記サイドクラウン（１０）、前記ブリム（１１）、及び前記日除け部（１２）は、それぞれが縫い合わされることなく連続した薄手の布（ａ１、ａ２）で一体形成され、
前記薄手の布に環状ゴム紐（１５）を通す紐穴（１５ａ）が形成され、
前記紐穴（１５ａ）に前記環状ゴム紐（１５）を通すことで前記サイドクラウン（１０）と前記ブリム（１１）の境界が形成され、
前記日除け部（１２）に首にかけたタオルや手ぬぐい等を保持するためのタオル保持部（３０ａ、３０ｂ）が設けられる、日除け帽子（２）、によって達成される。
【０００７】
上記目的は、前記タオル保持部（３０ａ、３０ｂ）は、輪紐状部材で構成され、タオルや手ぬぐい等を該輪紐状部材の輪部分に通すことでタオルや手ぬぐい等が保持される、上記に記載の日除け帽子（２）、によっても達成される。
【考案の効果】
【０００８】
本考案によれば、ブリムとクラウンと日除け布を備えつつも、小さく折り畳むことができ、さらに、首にかけたタオルや手ぬぐい等が動き難いように保持することが可能となる日除け帽子を提供することができる。
【図面の簡単な説明】
【０００９】
【図１】本考案の第１の実施の形態による日除け帽子１の外観図と断面図である。
【図２】本考案の第１の実施の形態による日除け帽子１の外観図である。
【図３】本考案の第１の実施の形態による日除け帽子１の分解図である。
【図４】本考案の第２の実施の形態による日除け帽子２を説明する図である。
【考案を実施するための形態】
【００１０】
本考案の第１の実施の形態による日除け帽子１について、図１乃至図３を用いて説明する。なお、以下の全ての図面においては、理解を容易にするため、各構成要素の寸法や比率などは適宜異ならせて図示している。
【００１１】
図１（ａ）は、日除け帽子１の正面図であり、図１（ｂ）は、日除け帽子１の右側面図であり、図１（ｃ）は、日除け帽子１の背面図であり、図１（ｄ）は、日除け帽子１のＡ−Ａ断面図である。また、図２（ａ）は、日除け帽子１の平面図であり、図２（ｂ）は、日除け帽子１の底面図である。図３は、日除け帽子１の分解図である。図１乃至図３の図中に示す点線は、縫い目を示している。
【００１２】
日除け帽子１は、トップクラウン９、サイドクラウン１０、ブリム１１、日除け部１２、環状ゴム紐１５、及びあご紐２０で構成される。
【００１３】
図１（ｄ）及び図３（ａ）に示すように、トップクラウン９は、円形の薄手の布ｂ１、ｂ２を重ねて縫い合わせることで形成される。なお、トップクラウン９は、一枚の布ｂ１のみで構成されてもよいし、３枚以上の薄手の布を縫い合わせて構成されてもよいし、円形以外の形状（例えば、楕円形状や多角形の形状）で構成されてもよい。
【００１４】
サイドクラウン１０、ブリム１１、及び日除け部１２は、図３（ｂ）に示す形状に裁断された薄手の布ａ１、ａ２を重ねて縫い合わせることで形成される。布ａ１、ａ２の上端に半円の切り欠きが設けられ、この切り欠きの左側の上端とこの切り欠きの右側の上端を縫い合わせることで円形の穴が形成される。この穴にトップクラウン９が縫い付けられる。なお、サイドクラウン１０、ブリム１１、及び日除け部１２は、一枚の布ａ１のみで構成されてもよいし、３枚以上の薄手の布を縫い合わせて構成されてもよい。
【００１５】
また、図３（ｂ）に示すように、布ａ１、ａ２で環状ゴム紐１５を取り付けるための半円の紐穴１５ａが設けられる。紐穴１５ａは、二つの半円の縫目によって形成される。紐穴１５ａに環状ゴム紐１５を取り付けることで、布ａ１、ａ２が立体形状となり、サイドクラウン１０が形成される。すなわち、半円の紐穴１５ａの内側がサイドクラウン１０であり、半円の紐穴１５ａの外側がブリム１１になる。
【００１６】
図３（ｃ）に示すように、ブリム１１は、図１（ｄ）、布ａ１、ａ２、及び型紙１１ａによって形成される。なお、型紙１１ａを設けない場合があってもよい。
【００１７】
図１、図２、及び図３（ｂ）に示すように、日除け部１２は、布ａ１、ａ２によって形成される。
【００１８】
このように本実施の形態の日除け帽子１は、サイドクラウン１０、ブリム１１、及び日除け部１２のそれぞれが縫い合わされることなく薄手の布ａ１、ａ２で一体形成されているため、小さく折り畳むことが容易である。また、日除け帽子１は、薄手の布ａ１、ａ２、ｂ１、ｂ２、型紙１１ａ、環状ゴム紐１５、及びあご紐２０で構成されるため、家庭用の洗濯機でも簡単に洗濯できる。
【００１９】
本考案の第２の実施の形態による日除け帽子２について、図２を用いて説明する。また、日除け帽子１と同じ構成については、符号を同じにすることでその説明を省略する場合がある。
【００２０】
日除け帽子２は、トップクラウン９、サイドクラウン１０、ブリム１１、日除け部１２、環状ゴム紐１５、あご紐２０、タオル保持部３０ａ、３０ｂ、及び冷却材収容部４０で構成される。
【００２１】
図４に示すように、布ａ２の日除け部１２にタオル保持部３０ａ、３０ｂ、及び冷却材保持部４０が設けられる。図１（ｄ）に示すように、布ａ２は、日除け帽子２の内側に該当する。なお、タオル保持部３０ａ、３０ｂ、及び冷却材保持部４０は、日除け帽子の外側に設けられてもよい。
【００２２】
タオル保持部３０ａ、３０ｂは、直径２ｃｍ〜１０ｃｍの輪紐状部材で構成される。タオル保持部３０ａ、３０ｂは後頭部の付近に設けられる。図４に示すように、環状ゴム紐１５の一部を露出させ、露出した環状ゴム紐１５の部分にタオル保持部３０ａ、３０ｂを引っかけるよう設ける。また、タオル保持部は、布ａ２に縫い付けられてもよいし、一つの輪紐状部材のみで構成されてもよいし、三つ以上の輪紐状部材で構成されてもよい。また、タオル保持部３０ａ、３０ｂの輪の大きさや高さが調整可能にしてもよい。
【００２３】
また、タオル保持部は、輪紐状部材以外の部材を用いてもよい。例えば、布ａ２の日除け部１２にタオル生地等の肌触りがよく、かつ摩擦係数の高い生地を縫い付けてもよい。タオルや手ぬぐいとの摩擦力を高めることで、首にかけたタオルや手ぬぐいを保持する。
【００２４】
冷却材収容部４０は、布ａ２の日除け部１２に布を縫い付けて形成される。ポケット構造を形成することで、冷却材を収容することができる。また、冷却材収容部４０の上部の冷却材の出入部に面ファスナーを設け、冷却材を保持するよう構成されてもよい。
【００２５】
このように本実施の形態の日除け帽子２は、日除け部１２にタオル保持部を設けることで、首にかけたタオルや手ぬぐい等が動き難いように保持することが可能となる。また、タオル保持部は、紐状部材で構成されるため不要な場合に簡単に取り外すこともできるし、タオルを首にかけない場合でも邪魔にならないという利点もある。また、家庭用の洗濯機で洗濯する場合もわざわざ取り外す必要もない。
【００２６】
さらに、日除け帽子２は、日除け部１２に冷却材収容部を設けることで熱中症を防止することができる。
【００２７】
本考案は、上述の実施の形態に限らず種々の変形が可能である。また、上述の各実施の形態は、本考案の好適な一例であるので、技術的に好ましい種々の限定が付されているが、本考案の範囲は、上述の説明によって不当に限定されるものではない。また、上述の各実施の形態で説明される構成の全てが本考案の必須の構成要件ではない。また、上述の各実施の形態で説明される構成は相互に組み合わせることが可能である。
【産業上の利用可能性】
【００２８】
本考案は、日除け帽子以外のあらゆる帽子（例えば、ハット、キャップ、ニット帽等）において広く利用可能である。
【符号の説明】
【００２９】
１、２  日除け帽子
９  トップクラウン
１０  サイドクラウン
１１  ブリム
１１ａ  型紙
１２  日除け部
１５  輪状ゴム紐
２０  ゴム紐
３０ａ、３０ｂ  タオル保持部
４０  冷却材保持部
ａ１、ａ２、ｂ１、ｂ２  布
【図１】
0003216905.tif 000003
【図２】
0003216905.tif 000004
【図３】
0003216905.tif 000005
【図４】
0003216905.tif 000006